(57)【要約】    【課題】      撮影者の特別な操作を必要とせず、撮影者が撮像素子から得られる画像信号全体とフォーカスの状態を確認するために最適な画像を同時に視認可能とすること。    【解決手段】  撮像素子１１は、レンズ１０により投影された被写体像を映像信号として出力し、信号処理部１２は、撮像素子１１が出力した映像信号をディジタル画像データに変換し、解像度変換部１５は、ディジタル画像データを所定の解像度のディジタル画像データに変換し、表示部１９は、少なくとも相互に独立した第１の画像領域１９１および第２の画像領域１９２を形成可能とし、撮影時には、第１の画像領域１９１には撮影画面全体を表示し、第２の画像領域１９２には高解像度のフォーカス状態確認のための部分画像を表示する。  【選択図】      図２
2006229751.tif 000002
【特許請求の範囲】
【請求項１】
レンズにより投影された被写体像を映像信号として出力する撮像素子と、
前記撮像素子が出力した映像信号をディジタル画像データに変換する信号処理手段と、
前記ディジタル画像データを所定の解像度のディジタル画像データに変換する解像度変換手段と、
少なくとも相互に独立した第１の画像領域および第２の画像領域を形成可能な表示手段と、
前記解像度変換手段によって解像度変換が施された異なる解像度のディジタル画像データを前記表示手段の第１の画像領域および第２の画像領域へ各々表示するための駆動信号を生成する表示制御手段と、
を具備するディジタルカメラ装置。
【請求項２】
前記表示制御手段は、前記第１の画像領域には前記撮像素子が撮像する領域の全体に相当する画像を表示し、前記第２の画像領域には前記撮像素子が撮像する領域の一部に相当する画像を表示するための駆動信号を生成するディジタルカメラ装置。
【請求項３】
前記解像度変換手段によって、利用者が設定する所定の解像度に、解像度変換が施されたディジタル画像データを記憶する画像蓄積手段を具備し、
前記第２の画像領域に表示される画像は、前記利用者が設定する所定の解像度のディジタル画像データの１画素が前記第２の画像領域の１画素に相当する画像である請求項１または請求項２に記載のディジタルカメラ装置。
【請求項４】
前記第２の画像領域に表示される画像は、前記撮像素子が出力する映像信号の１画素が前記第２の画像領域の１画素に相当する画像である請求項１または請求項２に記載のディジタルカメラ装置。
【請求項５】
ディジタル画像データを前記画像蓄積手段に記憶するため、前記解像度変換手段によって解像度変換を施されたディジタル画像データを圧縮する圧縮手段を具備する請求項１または請求項２に記載のディジタルカメラ装置。
【請求項６】
前記第２の画像領域表示される画像は前記圧縮手段で圧縮されるディジタル画像データの１画素が前記表示手段の１画素に相当する画像である請求項５に記載のディジタルカメラ装置。
【請求項７】
請求項１から請求項６のいずれかに記載のディジタルカメラ装置を具備する電子装置。
【発明の詳細な説明】
【技術分野】
【０００１】
本発明は、静止画像撮影機能を備える場合に好適なディジタルカメラ装置に関する。
【背景技術】
【０００２】
従来、レンズなどの光学系を通して固体撮像素子上に得られた被写体像を、電子データとして記録するディジタルカメラ装置が広く普及している。携帯電話に代表される電子装置においても、上記ディジタルカメラ装置を搭載することにより静止画像記録機能が実現しており、搭載するディジタルカメラ装置の解像度も日々進歩し、現在ではメガ（１００万）ピクセルを超えるものが採用され始めている。
【０００３】
このような電子装置は、一般にＬＣＤ（Liquid Crystal Display）に代表される表示器を具備しており、静止画像撮影時にディジタルカメラ装置から出力される画像を表示することでファインダーとして、また、撮影後の蓄積画像データを復号して表示することでビューワとして、使用することができる。
【０００４】
一般に、携帯電話に代表される電子装置に搭載される表示器の解像度は、水平方向画素数、垂直方向ライン数とも１００から３００前後である。すなわち、この場合の表示可能な画素数は、１万ピクセルないし９万ピクセルと見なすことができる。したがって、この表示器にメガピクセルを越えるようなディジタルカメラ装置の出力画像を表示する際には、出力画像の解像度を縮小する必要がある。
【０００５】
ここで、ディジタルカメラ装置を搭載した電子装置による静止画像撮影時に、解像度が縮小された画像を表示手段に表示してこれをファインダーとして用いた場合、解像度が縮小された画像では撮影者がフォーカスの合焦状態を判別しにくいという問題がある。この問題に対して、従来の電子ディジタルカメラ装置では、その表示器には撮像素子から得られる画像信号全体とＡＦエリアの画像信号とを、撮影者の操作によって択一的に選択して表示装置に表示できるようにし、かつＡＦエリアの画像信号を表示する場合は、ＡＦエリアの画像を拡大して表示可能とするようにしている。（例えば、特許文献１参照）
【特許文献１】特開平１１−１６４１７６号公報
【発明の開示】
【発明が解決しようとする課題】
【０００６】
しかしながら、特許文献１の構成においては、撮影者は全体画像とＡＦエリアの画像を同時に視認することはできないため撮影条件の確認が簡単には行えず、撮影者の利便性を妨げている。
【０００７】
本発明はかかる点に鑑みてなされたものであり、例えばフォーカス調整の基準となる部分等、撮影者が注目する部分については、他の部分とは独立して設けられた画像領域に高い解像度で表示可能とし、撮影者は、少なくとも二つの画像領域を同時に視認可能とし、的確に撮影条件を確認しながら撮影できるディジタルカメラ装置を提供することを目的とする。
【課題を解決するための手段】
【０００８】
かかる課題を解決するため本発明に係るディジタルカメラ装置は、レンズにより投影された被写体像を映像信号として出力する撮像素子と、前記撮像素子が出力した映像信号をディジタル画像データに変換する信号処理手段と、前記ディジタル画像データを所定の解像度のディジタル画像データに変換する解像度変換手段と、少なくとも相互に独立した第１の画像領域および第２の画像領域が形成可能な表示手段と、前記解像度変換手段によって解像度変換が施された異なる解像度のディジタル画像データを前記表示手段の第１の画像領域および第２の画像領域へ各々表示するための駆動信号を生成する表示制御手段と、を具備する構成を採る。
【発明の効果】
【０００９】
本発明によれば、撮影者が注目する部分については、他の部分とは独立して設けられた画像表示領域に十分な解像度で表示可能とし、撮影者は、表示解像度の異なる少なくとも二つの画像表示領域を同時に視認可能とし、的確な撮影条件を確認しながら撮影できるという効果がある。
【発明を実施するための最良の形態】
【００１０】
以下、本発明の実施の形態について図面を参照して詳細に説明する。
【００１１】
（一実施の形態）
図１は、本発明の一実施の形態に係るディジタルカメラ装置の構成を示すブロック図である。
【００１２】
図１において、ディジタルカメラ装置は、レンズ１０と、撮像素子１１と、信号処理部１２と、メモリ制御部１３と、メモリ１４と、解像度変換部１５と、圧縮部１６と、蓄積部１７と、表示制御部１８と、表示部１９と、制御部２０と、第１のスイッチ２１ａと、第２のスイッチ２１ｂと、から主に構成される。
【００１３】
このディジタルカメラ装置は、制御部２０が第１のスイッチ２１ａの押下を検出することで全体の動作を開始する。
【００１４】
被写体からの光は、レンズ１０を通して撮像素子１１に入射し被写体像を形成する。撮像素子１１は、入射した被写体からの光に光電変換を施し、映像信号１００を得、信号処理部１２へ出力する。
【００１５】
信号処理部１２は、入力された映像信号１００に対して、例えば輝度成分及び色差成分を生成する演算やホワイトバランス調整などの信号処理を施して第１のディジタル画像データ１０１を生成し、メモリ制御部１３へ出力する。
【００１６】
メモリ制御部１３は、メモリ１４に対するデータの書き込みと読み出しを制御する。即ち、信号処理部１２から入力された第１のディジタル画像データ１０１をメモリ１４へ書き込むとともに、制御部２０からの要求によりメモリ１４に記憶されたデータを読み出し第２のディジタル画像データ１０２として解像度変換部１５へ出力する。
【００１７】
解像度変換部１５は、制御部２０の要求に従い、第２のディジタル画像データ１０２に解像度変換を施して第３のディジタル画像データ１０３を生成し、圧縮部１６と表示制御部１８へ出力する。ここで、解像度変換部１５が行う解像度変換処理には、拡大、等倍、縮小の各処理が含まれる。また、解像度変換部１５は制御部２０の要求によって、第２のディジタル画像データ１０２の水平方向と垂直方向に対して、それぞれ異なる倍率の解像度変換を施すこともできる。
【００１８】
圧縮部１６は、入力された第３のディジタル画像データ１０３に対し圧縮処理を施して蓄積画像データ１０４を生成し、蓄積部１７へ出力する。圧縮部１６の圧縮処理は、例えば制御部２０が第２のスイッチ２１ｂの押下を検出することで動作する。
【００１９】
ここで、圧縮処理としては例えばＪＰＥＧ方式などがあるが、もちろん他の方式を用いても良く、あるいは第３のディジタル画像データ１０３を非圧縮でそのまま蓄積画像データ１０４とし、蓄積部１７へ出力しても良い。すなわち、本発明の一実施の形態に係るディジタルカメラ装置では、撮像素子１１および信号処理部１２が生成した第１のディジタル画像データ１０１から、解像度変換部１５によって表示や蓄積などの目的毎に適した解像度の第３のディジタル画像データ１０３を各々生成し、蓄積および表示を行うことができる。
【００２０】
蓄積部１７は、ＲＡＭ、フラッシュメモリ、取り外し可能なメモリカードなどの記憶素子であり、圧縮部１６が出力した蓄積画像データ１０４を記憶蓄積する。
【００２１】
表示制御部１８は、解像度変換部１５から入力された第３のディジタル画像データ１０３を表示部１９に表示するための駆動信号１０５を生成する。
【００２２】
制御部２０は、マイクロプロセッサを中心に構成され、本ディジタルカメラ装置全体の動作を統括し、制御する。
【００２３】
図２は、表示制御部１８の内部構成と、表示部１９における表示レイアウトの例を示す説明図である。図２において、図１と同一のブロックについては同一の符号を付し、詳しい説明を省略する。
【００２４】
表示制御部１８は、フレームメモリ１８０と、表示領域切り出し部１８１と、フレームメモリ制御部１８２と、駆動部１８３と、から主に構成される。表示部１９には、第１の画像領域１９１と、第２の画像領域１９２が図示されている。
【００２５】
フレームメモリ１８０は、表示部１９に表示する画像データを記憶し、少なくとも表示部１９の表示解像度と等しい記憶容量を持つ。
【００２６】
表示領域切り出し部１８１は、解像度変換部１５から入力された第３のディジタル画像データ１０３に対して、制御部２０の制御に応じた領域のデータを切り出し、フレームメモリ制御部１８２へ出力する。
【００２７】
フレームメモリ制御部１８２は、フレームメモリ１８０に対するデータの書き込みと読み出しを制御する。即ち、表示領域切り出し部１８１から入力されたデータをフレームメモリ１８０へ書き込むとともに、フレームメモリ１８０に記憶されたデータを読み出し駆動部１８３へ出力する。
【００２８】
駆動部１８３はフレームメモリ１８０から読み出されたデータから、表示部１９に表示するための駆動信号１０５を生成し、表示部１９へ出力する。
【００２９】
表示部１９は、入力された駆動信号１０５に基づいて、フレームメモリ１８０に記憶された画像データの表示を行う。
【００３０】
ここで例えば、第１の画像領域１９１に、撮像素子１１が撮像する全領域の画像データを表示する場合は、まず、解像度変換部１５が、第２のディジタル画像データ１０２の解像度を第１の画像領域１９１と等しい解像度に変換し、第３のディジタル画像データ１０３を生成する。次に、表示領域切り出し部１８１が、入力された第３のディジタル画像データ１０３の全画像領域を切り出し、フレームメモリ制御部１８２へ出力する。そして、フレームメモリ制御部１８２が、表示領域切り出し部１８１から入力された画像データを、フレームメモリ１８０の中で第１の画像領域１９１が記憶されているアドレスへ書き込む。
【００３１】
同様にして例えば、第２の画像領域１９２に、圧縮部１６が圧縮する画像の一部を表示する場合は、まず、解像度変換部１５が、第２のディジタル画像データ１０２の解像度を蓄積画像の解像度に変換し、第３のディジタル画像データ１０３を生成する。次に、表示領域切り出し部１８１が、入力された第３のディジタル画像データ１０３の１画素が第２の画像領域１９２の１画素に相当するようにして、入力された第３のディジタル画像データ１０３から第２の画像領域１９２と等しい解像度の画像領域を切り出し、フレームメモリ制御部１８２へ出力する。そして、フレームメモリ制御部１８２が、表示領域切り出し部１８１から入力された画像データを、フレームメモリ１８０の中で第２の画像領域１９２が記憶されているアドレスへ書き込む。なお、表示領域切り出し部１８１は、通常撮像素子１１が撮像する画像の中心部の領域の切り出しを行う。これは通常ＡＦエリアは、デフォルトでは画面中央部に設定されることに対応したものである。したがって、ＡＦエリアを撮影者が自由に設定でき、そのため別途ＡＦエリアを設定する手段が設けられている場合は、別途設定されたＡＦエリアの位置に相当する領域から、第２の画像領域１９２と等しい解像度の画像領域を切り出すこともできる。
【００３２】
以上のように、本実施の形態によれば、撮像素子１１が撮像する画像データを任意の解像度に変換し、解像度変換後の画像データの中から任意の領域の画像データを切り出し、これを表示部１９の任意の位置に任意の大きさで表示することができる。
【００３３】
とくに、撮像素子１１から出力される連続した映像信号１００に対し、解像度変換部１５や表示領域切り出し部１８１などでの処理を連続して施すことで得られた画像データを、フレームメモリ制御部１８２がフレームメモリ１８０の同一アドレスに連続して書き込むことで、表示部１９に動画表示を行うことができる。さらに、任意の時点でフレームメモリ１８０の書き込みを停止することで、その時点でフレームメモリ１８０に記憶されていた画像データ、すなわち表示部１９に表示されていた画像データを静止画表示（フリーズ表示）することができる。
【００３４】
また、第１のディジタル画像データ１０１をメモリ１４に保持することで、同一の第１のディジタル画像データ１０１に対して、解像度変換部１５で異なる解像度変換を施し、圧縮部１６や、表示制御部１８へ出力することができる。同様にして、同一の第１のディジタル画像データ１０１から異なる解像度の画像データを生成し、これらを第１の画像領域１９１と第２の画像領域１９２に各々同時に表示することもできる。
【００３５】
なお図２の例では、第１の画像領域１９１を大画面、第２の画像領域１９２を小画面として表示レイアウトした例を示したが、これは本発明を限定するものではなく、解像度変換部１５での解像度変換と、表示領域切り出し部１８１での画像データ切り出し領域の制御と、フレームメモリ制御部１８２でのフレームメモリ１８０への書き込みアドレス制御によって各画像領域の位置やサイズについて様々な表示レイアウトが可能である。
【００３６】
図３から図６は、本実施の形態に係るディジタルカメラ装置で静止画撮影を行う場合の映像信号１００と、第１のディジタル画像データ１０１と、第２のディジタル画像データ１０２と、第３のディジタル画像データ１０３と、蓄積画像データ１０４の解像度の例を示す図である。図３から図７において、図１または図２と同一のブロックについては同一の符号を付し、詳しい説明を省略する。
【００３７】
図３は、第２の画像領域１９２に表示される画像において、圧縮部１６で圧縮される前の画像の１画素が表示部１９の１画素に相当するようにした例である。
【００３８】
図３において、撮像素子１１から出力される映像信号１００ａの解像度はＭ画素（水平方向）×Ｎライン（垂直方向）であり、第１のディジタル画像データ１０１ａと、第２のディジタル画像データ１０２ａの解像度もＭ画素×Ｎラインとなる。
【００３９】
解像度変換部１５は、第２のディジタル画像データ１０２ａの解像度を第１の画像領域１９１の解像度（Ｘ画素×Ｙライン）に変換することで第３のディジタル画像データ１０３ａを生成し、表示制御部１８へ出力する。表示制御部１８は、入力された第３のディジタル画像データ１０３ａをフレームメモリ１８０の中で第１の画像領域１９１が記憶されているアドレスへ書き込む。
【００４０】
また、解像度変換部１５は、第２のディジタル画像データ１０２ａの解像度を圧縮部１６で圧縮し、蓄積部１７に蓄積するための画像の解像度（ｍ画素×ｎライン）に変換することで第３のディジタル画像データ１０３ｂを生成し、圧縮部１６と表示制御部１８へ出力する。圧縮部１６は第３のディジタル画像データ１０３ｂを圧縮し蓄積画像データ１０４を生成して蓄積部１７へ出力する。蓄積部１７は蓄積画像データ１０４を蓄積する。表示制御部１８は、入力された第３のディジタル画像データ１０３ｂから第２の画像領域１９２の解像度（ｘ画素×ｙライン）に等しい解像度の領域を切り出し、これをフレームメモリ１８０の中で第２の画像領域１９２が記憶されているアドレスへ書き込む。
【００４１】
表示制御部１８は、フレームメモリ１８０に記憶されたデータを表示部１９に表示するための駆動信号１０５を生成する。表示部１９は駆動信号１０５に従って画像表示を行う。なお、図３に模式的に示すように、一般にメガピクセルサイズまで取り得る第３のディジタル画像データ１０３ｂによる画像の方が、一般に１万ピクセルないし９万ピクセルである表示部１９に表示するための第３のディジタル画像データ１０３ａによる画像よりも、大きい。このことは、第３のディジタル画像データ１０３ｂおよびそこから切り出した第２の画像領域１９２による画像の解像度が、第３のディジタル画像データ１０３ａによる画像の解像度よりも高く、高精細であることを示している。
【００４２】
このように本実施の形態に係るディジタルカメラ装置では、第１の画像領域１９１に撮像素子１１から得られる映像信号１００ａの全体を表示し、同時に、第２の画像領域１９２に圧縮部１６で圧縮される画像の１画素が表示部１９の１画素に相当するような高精密の画像を表示させることができる。これによって第２の画像領域１９２に表示される画像は、圧縮される画像の解像度が変化しても、常に圧縮される画像の１画素が表示部１９の１画素に相当するため、圧縮される画像の解像度に応じて、圧縮される画像の解像度と等しい高精細な画像に基づきフォーカスの状態を確認できることとなり、撮影者の利便性向上に寄与する。すなわち、撮影者は、蓄積部１７に蓄積する画像の解像度で、例えばメガピクセルレベルなど撮影者が意図した撮影画像の画像解像度でフォーカス状態の確認を行うことができる。さらに、第２の画像領域１９２に表示される画像は、圧縮される前の第３のディジタル画像データ１０３ｂから切り出したものであるため、圧縮部１６での圧縮による解像度劣化の影響を受けることなく、最適な画質を得ることができる。
【００４３】
図４は、第２の画像領域１９２に表示される画像において、図３に示した場合よりも高精細にしたもので、撮像素子１１から出力される画像の１画素が表示手段の１画素に相当するようにした例である。
【００４４】
図４において、撮像素子１１から出力される映像信号１００ａから、第１のディジタル画像データ１０１ａと、第２のディジタル画像データ１０２ａと、第３のディジタル画像データ１０３ａと、第３のディジタル画像データ１０３ｂと、蓄積画像データ１０４とが生成され、さらに第３のディジタル画像データ１０３ａが第１の画像領域１９１に表示される過程は図３における説明と同一であるため、詳しい説明を省略する。
【００４５】
解像度変換部１５は、第２のディジタル画像データ１０２ａをそのまま等倍の解像度で出力することで第３のディジタル画像データ１０３ｃを生成し、表示制御部１８へ出力する。表示制御部１８は、入力された第３のディジタル画像データ１０３ｃから第２の画像領域１９２の解像度（ｘ画素×ｙライン）に等しい解像度の領域を切り出し、これをフレームメモリ１８０の中で第２の画像領域１９２が記憶されているアドレスへ書き込む。
【００４６】
表示制御部１８は、フレームメモリ１８０に記憶されたデータを表示部１９に表示するための駆動信号１０５を生成する。表示部１９は駆動信号１０５に従って画像表示を行う。
【００４７】
このように本実施の形態に係るディジタルカメラ装置では、第１の画像領域１９１に撮像素子１１から得られる映像信号１００ａの全体を表示し、同時に、第２の画像領域１９２に撮像素子１１が出力する画像の１画素が表示手段の１画素に相当するような画像を表示させることができる。とくに第２の画像領域１９２に表示される画像は、撮像素子１１に結像する被写体像のフォーカスの状態を確認するために、より最適な画像であり、フォーカス合わせを重視する撮影者の利便性向上に寄与する。
【００４８】
図５は、第２の画像領域１９２に表示される画像において、圧縮部１６で圧縮される画像の１画素が表示手段の１画素に相当するようにした第２の例である。また図５は、撮像素子１１から出力される映像信号１００の解像度が、蓄積画像データ１０４生成前（プレビュー時）と、蓄積画像データ１０４生成時（静止画撮影時）とで異なる場合の例を示している。
【００４９】
図５において、プレビュー時に撮像素子１１から出力される映像信号１００ｂの解像度はＭ´画素（水平方向）×Ｎ´ライン（垂直方向）であり、プレビュー時の第１のディジタル画像データ１０１ｂと、第２のディジタル画像データ１０２ｂの解像度もＭ´画素×Ｎ´ラインとなる。
【００５０】
解像度変換部１５は、第２のディジタル画像データ１０２ｂの解像度を第１の画像領域１９１の解像度（Ｘ画素×Ｙライン）に変換することで第３のディジタル画像データ１０３ｄを生成し、表示制御部１８へ出力する。表示制御部１８は、入力された第３のディジタル画像データ１０３ｄをフレームメモリ１８０の中で第１の画像領域１９１が記憶されているアドレスへ書き込む。
【００５１】
また、解像度変換部１５は、第２のディジタル画像データ１０２ｂの解像度を圧縮部１６で圧縮し、蓄積部１７に蓄積するための画像の解像度（ｍ画素×ｎライン）に変換することで第３のディジタル画像データ１０３ｅを生成し、表示制御部１８へ出力する。表示制御部１８は、入力された第３のディジタル画像データ１０３ｅから第２の画像領域１９２の解像度（ｘ画素×ｙライン）に等しい解像度の領域を切り出し、これをフレームメモリ１８０の中で第２の画像領域１９２が記憶されているアドレスへ書き込む。
【００５２】
表示制御部１８は、フレームメモリ１８０に記憶されたデータを表示部１９に表示するための駆動信号１０５を生成する。表示部１９は駆動信号１０５に従って画像表示を行う。
【００５３】
一方、図５において、静止画撮影時に撮像素子１１から出力される映像信号１００ａの解像度はＭ画素（水平方向）×Ｎライン（垂直方向）であり、以降、第１のディジタル画像データ１０１ａと、第２のディジタル画像データ１０２ａと、第３のディジタル画像データ１０３ｂと、蓄積画像データ１０４とが生成される過程は図３における説明と同一であるため、詳しい説明を省略する。
【００５４】
ここで、解像度変換部１５で行われる解像度変換は、画像の水平方向と垂直方向とで異なる倍率の解像度変換を行ってもよい。こうすることで、プレビュー時に撮像素子１１から出力される映像信号１００ｂのアスペクト比（Ｍ´：Ｎ´）が撮像素子１１のアスペクト比（Ｍ：Ｎ）と異なる場合（例えばプレビュー時に撮像素子１１から出力される映像信号１００ｂが垂直方向の解像度のみ１／２に間引かれる場合など）でも、第１の画像領域１９１および第２の画像領域１９２に表示する画像のアスペクト比を撮像素子１１のアスペクト比と等しくすることが可能となる。
【００５５】
このように本実施の形態に係るディジタルカメラ装置では、第１の画像領域１９１に撮像素子１１から得られる映像信号１００ｂの全体を表示し、同時に、第２の画像領域１９２に圧縮部１６で圧縮される画像の１画素が表示部１９の１画素に相当するような画像を表示させることができる。これによって第２の画像領域１９２に表示される画像は、圧縮される画像の解像度が変化しても、常に圧縮される画像の１画素が表示部１９の１画素に相当するため、圧縮される画像の解像度に応じた最適な解像度の画像でフォーカスの状態を確認することができ、さらにプレビュー時に表示部１９に表示する画像のアスペクト比を撮像素子１１のアスペクト比と等しくすることができるため、撮影者の利便性向上に寄与する。
【００５６】
図６は、第２の画像領域１９２に表示される画像において、撮像素子１１から出力される画像の水平方向の１画素が表示手段の１画素に相当するようにした例である。また図６は、撮像素子１１から出力される映像信号１００の解像度が、蓄積画像データ１０４生成前（プレビュー時）と、蓄積画像データ１０４生成時（静止画撮影時）とで異なる場合の例を示している。
【００５７】
図６において、プレビュー時に撮像素子１１から出力される映像信号１００ｂの解像度はＭ´画素（水平方向）×Ｎ´ライン（垂直方向）であり、以降、プレビュー時の第１のディジタル画像データ１０１ｂと、第２のディジタル画像データ１０２ｂと、第３のディジタル画像データ１０３ｄとが生成され、さらに、第３のディジタル画像データ１０３ｄが第１の画像領域１９１に表示される過程は図５における説明と同一であるため、詳しい説明を省略する。
【００５８】
解像度変換部１５は、第２のディジタル画像データ１０２ｂの解像度を、水平方向の解像度は変化させず、垂直方向の解像度をＮ´´に変換することで第３のディジタル画像データ１０３ｆを生成し、表示制御部１８へ出力する。表示制御部１８は、入力された第３のディジタル画像データ１０３ｆから第２の画像領域１９２の解像度（ｘ画素×ｙライン）に等しい解像度の領域を切り出し、これをフレームメモリ１８０の中で第２の画像領域１９２が記憶されているアドレスへ書き込む。
【００５９】
ここで、Ｎ´´は、Ｎ´´＝Ｎ×Ｍ´÷Ｍの演算で得られる数値である。こうすることで、第３のディジタル画像データ１０３ｆのアスペクト比（Ｍ´：Ｎ´´）は、撮像素子１１のアスペクト比（Ｍ：Ｎ）と等しくなる。
【００６０】
表示制御部１８は、フレームメモリ１８０に記憶されたデータを表示部１９に表示するための駆動信号１０５を生成する。表示部１９は駆動信号１０５に従って画像表示を行う。
【００６１】
一方、図６において、静止画撮影時に撮像素子１１から出力される映像信号１００ａの解像度はＭ画素（水平方向）×Ｎライン（垂直方向）であり、以降、第１のディジタル画像データ１０１ａと、第２のディジタル画像データ１０２ａと、第３のディジタル画像データ１０３ｂと、蓄積画像データ１０４とが生成される過程は図３における説明と同一であるため、詳しい説明を省略する。
【００６２】
このように本実施の形態に係るディジタルカメラ装置では、解像度変換部１５で垂直方向の解像度をＮ´´に変換することで生成した第３のディジタル画像データ１０３ｆの解像度が蓄積部１７に蓄積される静止画の解像度と等価として撮影者に許容される範囲では、第１の画像領域１９１に撮像素子１１から得られる映像信号１００ｂの全体を表示し、同時に、第２の画像領域１９２に表示される画像は、撮像素子１１に結像する被写体像のフォーカスの状態を確認するために最適な画像であり、さらにプレビュー時に表示部１９に表示する画像のアスペクト比を撮像素子１１のアスペクト比と等しくすることができるため、撮影者の利便性向上に寄与する。
【００６３】
なお、プレビュー時に撮像素子１１が出力する映像信号１００ｂが上述したような垂直方向の解像度を１／２程度に間引いた程度の場合には、フォーカス状態の確認に関し実用上問題がない程度の解像度で第２の画像領域１９２の表示が行える。この場合は、このような補正表示を簡単な構成で実現できる。実用上許容できない場合は、図３に示したような、本来的な第２の画像領域１９２への表示を行うようにすればよい。
【００６４】
なお、図６においては、垂直方向の解像度が補正される例につき説明したが、これは水平方向の解像度補正についても同様に行える。また、水平方向および垂直方向の両方を同時に補正することも、実用上許容できる程度で補正できる場合には、簡単に実現できる。
【００６５】
以上のように本発明のディジタルカメラ装置によれば、撮影者の特別な操作を必要とせず、撮影者が撮像素子から得られる画像信号全体と、フォーカスの状態を確認するために最適な画像を同時に視認可能とし、撮影者の利便性を向上することができる。
【００６６】
図７は、本実施の形態のディジタルカメラ装置を組み込んだ電子装置の例を示した説明図である。図７において、図１または図２と同一のブロック・部分については同一の符号を付し、詳しい説明を省略する。
【００６７】
図７の電子装置は携帯電話であり、筐体８０と、操作キー８１と、表示部１９と、から主に構成される。操作キー８１は、決定キー８１ａとディジタルカメラ装置キー８１ｂとを含む。またディジタルカメラ装置は筐体８０に内蔵されており、撮影者が表示部１９を見たときにレンズ１０が被写体側を向くように配置されている。
【００６８】
図７には図示されていないが、撮像素子１１はレンズ１０の直下の筐体８０内部に配置され、信号処理部１２と、メモリ制御部１３と、メモリ１４と、解像度変換部１５と、圧縮部１６と、表示制御部１８と、制御部２０は、筐体８０の内部に配置されている。また蓄積部１７は、筐体に内蔵されたメモリ素子、または着脱可能なメモリカードなどで構成される。
【００６９】
図７の携帯電話では、例えばディジタルカメラ装置キー８１ｂによってディジタルカメラ装置機能をＯＮすることで、第１の画像領域１９１に撮像素子１１から得られる画像の全体が表示され、同時に第２の画像領域１９２に、撮影者がフォーカスの状態を確認するために最適な画像が表示される。ディジタルカメラ装置キー８１ｂの機能は、図１における第１のスイッチ２１ａの機能に相当する。
【００７０】
その後、決定キー８１ａの操作によって、圧縮部１６が入力された第３のディジタル画像データ１０３に対し圧縮処理を施して蓄積画像データ１０４を生成し、蓄積部１７へ出力することで、静止画像の撮影が行われる。決定キー８１ａの機能は、図１における第２のスイッチ２１ｂの機能に相当する。
【００７１】
このように本実施の形態に係るディジタルカメラ装置を具備した電子装置である携帯電話では、撮影者の特別な操作を必要とせず、撮影者が撮像素子から得られる画像信号全体とフォーカスの状態を確認するために最適な画像を同時に視認可能となるので、本発明のディジタルカメラ装置を具備した電子装置の利便性を向上することができる。
【産業上の利用可能性】
【００７２】
以上の説明のように本発明によれば、静止画像撮影機能を備え、且つ表示手段を具備した電子装置に好適なディジタルカメラ装置、すなわち撮影者の特別な操作を必要とせず、撮影者が撮像素子から得られる画像信号全体とフォーカスの状態を確認するために最適な画像を同時に視認可能とし、撮影者の利便性を向上することができるディジタルカメラ装置を提供することが可能となる。
【００７３】
また本発明のディジタルカメラ装置を具備した電子装置である携帯電話、固定電話、情報端末などにおいて、上記と同様の効果作用を得ることができる。
【図面の簡単な説明】
【００７４】
【図１】本発明の一実施の形態に係るディジタルカメラ装置の構成の例を示すブロック図
【図２】上記実施の形態に係るディジタルカメラ装置を構成する表示制御部の内部構成と、表示レイアウトの例を示す説明図
【図３】上記実施の形態に係るディジタルカメラ装置で静止画撮影を行う場合の解像度変換の例を示す説明図
【図４】上記実施の形態に係るディジタルカメラ装置で静止画撮影を行う場合の解像度変換の例を示す説明図
【図５】上記実施の形態に係るディジタルカメラ装置で静止画撮影を行う場合の解像度変換の例を示す説明図
【図６】上記実施の形態に係るディジタルカメラ装置で静止画撮影を行う場合の解像度変換の例を示す説明図
【図７】上記実施の形態に係るディジタルカメラ装置を具備した電子装置の例を示す説明図
【符号の説明】
【００７５】
１０  レンズ
１１  撮像素子
１２  信号処理部
１３  メモリ制御部
１４  メモリ
１５  解像度変換部
１６  圧縮部
１７  蓄積部
１８  表示制御部
１８０  フレームメモリ
１８１  表示領域切り出し部
１８２  フレームメモリ制御部
１８３  駆動部
１９  表示部
１９１  第１の画像領域
１９２  第２の画像領域
２０  制御部
２１ａ  第１のスイッチ
２１ｂ  第２のスイッチ
８０  筐体
８１  操作キー
８１ａ  決定キー
８１ｂ  ディジタルカメラ装置キー
１００  映像信号
１０１  第１のディジタル画像データ
１０２  第２のディジタル画像データ
１０３  第３のディジタル画像データ
１０４  蓄積画像データ
１０５  駆動信号
【図１】
2006229751.tif 000003
【図２】
2006229751.tif 000004
【図３】
2006229751.tif 000005
【図４】
2006229751.tif 000006
【図５】
2006229751.tif 000007
【図６】
2006229751.tif 000008
【図７】
2006229751.tif 000009